(57)【要約】      （修正有）【課題】複数の映像出力を１つの映像表示装置に表示して、表示領域の拡大・縮小もしくは位置の変更などを行い、タッチパネルで操作する場合でも正確にタッチした座標の取得を行うことができる映像表示装置を提供する。【解決手段】第１の映像処理装置２０と第２の映像処理装置３０の出力を表示する映像表示装置１０と、タッチパネル１１と、タッチパネル１１の出力から接触した座標を算出する入力座標検出部１２と、表示領域の拡大、縮小や表示位置の変更の制御を行う制御部１３と、入力座標検出部１２で検出した座標と制御部１３の表示座標情報をもとに、どの映像処理装置の表示領域が指示されたかを判別し、判別した表示座標を基準に、検出した座標の変換を行う座標変換部１４と、第１の映像処理装置２０に座標変換部１４で変換した座標情報を送信する送信部１５と、第２の映像処理装置３０に座標変換部１４で変換した座標情報を送信する送信部１６を有する。【選択図】図１
2016207099.tif 000002
【特許請求の範囲】
【請求項１】
タッチパネルを備え、複数の映像処理装置と接続可能な映像表示装置であって、
複数の映像信号を入力する入力部と、
入力信号を処理して表示信号を出力する信号処理部と、
映像信号を表示する表示部と、
各映像を拡大・縮小もしくは位置を変更するよう制御し、各映像の表示座標を出力する制御部と、
タッチパネルの出力信号から座標を検出する入力座標検出部と、
前記入力座標検出部が検出した座標と表示座標情報をもとに表示領域を判別し、その判別した表示座標を基準に検出した座標の変換を行う座標変換部と、
それぞれの表示処理装置に座標情報を送信する送信部と、を有することを特徴とする情報処理装置。
【請求項２】
タッチパネルの座標検出領域と同じ領域に映像を表示する第１の表示部と、
第１の表示部より前面に表示する第２の表示部と、を有し、
映像処理により複数の表示領域を重ねて表示する表示機能を有し、第１の表示部にタッチした場合はタッチにより検出した座標を変換することなく、第１の表示装置に情報を出力することを特徴とする請求項１に記載の情報処理装置。
【発明の詳細な説明】
【技術分野】
【０００１】
本発明は、複数の映像処理装置の映像を、タッチパネルを備えた１つの映像表示装置を用いて、タッチ検出座標を各々の映像処理装置の表示領域に対応した座標変換処理を実行する情報処理装置に関する。
【背景技術】
【０００２】
従来、指などを接触させることにより入力できる情報入力装置として、タッチパネルが存在する。この情報入力装置は、タッチすることによって変化する抵抗値・静電容量値・振動・光・超音波のいずれかを検出し、そのタッチした座標を伝える。一般的に上記入力装置は、液晶パネルなどの表示装置に重ねて一体化した情報機器として用いられる。その表示装置が表示したウィンドウ、ボタン、アイコン、スクロールバーなどに対して、手や指などを使って直接に操作することができ、操作性を向上することができる。
【０００３】
また、現在、医療分野などの業務用として、複数の映像を同時に表示して比較するといった使用方法がある。例えば、図７の構成で成されている特許文献１のように、第１の表示装置４１と第２の表示装置４２で構成される複数の表示装置に対して、画面上の座標を指定するデジタイザーなどの入力装置４３を用いて、どの表示装置を指示しているかという選択と、位置情報の取得を制御装置４４で行い、処理装置４５にその情報を出力して、表示装置４１、４２に表示するといった複数の表示装置の操作を行う情報処理装置が提案されている。
【先行技術文献】
【特許文献】
【０００４】
【特許文献１】特開平8-286835号公報
【発明の概要】
【発明が解決しようとする課題】
【０００５】
しかしながら、複数の映像を同時に比較する手段として、ユーザーの視認性を更に向上させるために、１つの表示装置に複数の映像を同時に表示することが求められているが、タッチパネルを付加したときについては、特許文献１に示される情報処理装置に開示されていない。
【０００６】
１つの表示装置に複数の映像を同時に表示することによって、各表示領域を拡大・縮小したり、表示位置を変更したりする制御を行うことができるが、タッチパネルの座標情報を受信するPCからは表示領域の大きさや位置が認識できない。それ故、タッチした位置がどの表示領域か判別ができないため、座標検出が困難であるという課題がある。
【課題を解決するための手段】
【０００７】
上記課題を解決するため、本発明の情報処理装置は以下の構成を備える。
【０００８】
タッチパネルを備え、複数の映像処理装置と接続可能な映像表示装置であって、映像表示装置は、複数の映像信号の制御に応じた映像処理をし、映像表示信号を出力する映像処理部と、映像表示信号を表示する表示部と、映像処理部の映像処理を拡大・縮小もしくは表示位置を変更するよう制御し、表示座標を出力する制御部と、タッチパネルの出力信号から座標を検出する入力座標検出部と、前記入力座標検出部が検出した座標と表示座標情報をもとに表示領域を判別し、その判別した表示座標を基準に検出した座標の変換を行う座標変換部と、それぞれの映像処理装置に座標情報を送信する送信部を有し、複数の映像を同時に表示しているときに、表示領域の拡大・縮小もしくは位置の変更をする場合でも、タッチした任意の座標を正確に検出することを特徴とする。
【発明の効果】
【０００９】
本発明の映像表示装置によれば、複数の映像出力を１つの映像表示装置に表示して、表示領域の拡大・縮小もしくは位置の変更などを行い、タッチパネルで操作する場合でも正確にタッチした座標の取得を行うことができる。更に表示領域の位置や大きさを変更しても追従して座標変換を行うことができる情報処理装置を提供することが可能となる。
【図面の簡単な説明】
【００１０】
【図１】本発明の実施例１におけるブロック図
【図２】本発明の実施例１における処理フロー図
【図３】本発明の実施例１における表示映像の例を示す図
【図４】本発明の実施例１における座標情報の例を示す図
【図５】本発明の実施例２における処理フロー図
【図６】本発明の実施例２における表示映像の例を示す図
【図７】従来技術における表示映像の例を示す図
【発明を実施するための形態】
【００１１】
［実施例１］
本発明の実施の形態について図面を用いて説明する。
図１は本実施形態における映像表示装置のブロック図である。図１において、映像表示装置１０は第１の映像処理装置２０と第２の映像処理装置３０の出力を表示する。タッチパネル１１は、タッチすることによって変化する抵抗値・静電容量値・振動・光・超音波のいずれかを検出し、位置情報を出力する。入力座標検出部１２はタッチパネル１１の出力から接触した座標を算出する。
【００１２】
制御部１３は表示領域の拡大、縮小などの制御を行う。座標変換部１４は入力座標検出部１２で検出した座標と制御部１３の表示座標情報をもとに、どの映像処理装置の表示領域が指示されたかを判別し、その判別した表示座標を基準に、検出した座標の変換を行う。詳細は後述する。送信部１５は第１の映像処理装置２０に座標変換部１４で変換した座標情報を送信する。送信部１６は第２の映像処理装置３０に座標変換部１４で変換した座標情報を送信する。
【００１３】
また、第１の映像処理装置２０は、第１の受信部２１・制御部２２・映像出力部２３を備えた装置である。第１の映像処理装置の受信部２１は送信部１５からの座標情報を受信する。第１の映像処理装置の制御部２２は受信部２１で受信した座標情報を認識する。第１の映像処理装置の映像出力部２３は制御部２２の座標に応じた映像情報を出力する。
【００１４】
第２の映像処理装置３０は、第２の受信部３１・制御部３２・映像出力部３３を備えた装置である。第２の映像処理装置の受信部３１は送信部１６の座標情報を受信する。第２の映像処理装置の制御部３２は受信部３１で受信した座標情報を認識する。第２の映像処理装置の映像出力部３３は制御部３２の座標に応じた映像情報を出力する。
【００１５】
映像処理部１７は第１の映像出力部２３と第２の映像出力部３３の信号と制御部１３の表示座標情報を比較して処理を行う。映像表示部１８は、映像処理部から出力された映像を表示する。
【００１６】
以下、図２に示す処理フロー図、図３に示す表示映像の例の図、図４に示す座標情報の例の図を用いて、動作について詳細に説明する。
【００１７】
処理を開始すると、まず映像表示装置１０に出力されている複数の表示領域の座標を設定（S101）する。ここで第１と第２の映像処理装置２０および３０からは解像度（1920,1080）で出力しているとする。
【００１８】
例えば図４に示すように、解像度（1920,1080）を持つ表示装置において、左上を原点として、第１の表示領域２４を（0,0）〜(1280,720)、第２の表示領域３４を（1280,720）〜（1920,1080）と設定する。次に、タッチパネル１１にタッチすることによって抵抗値・静電容量値・振動・光・超音波のいずれかの変化を取得して、指示された座標（以下、タッチ座標）を入力座標検出部１２で検出（S102）する。例えば図４で示すタッチ入力位置１９のタッチパネルが検出する座標は（1480,900）とする。タッチしていない場合は、タッチ座標を検出するまでループする。
【００１９】
座標変換部では、入力座標検出部１２が出力するタッチ座標と、制御部１３が出力する表示座標情報を比較して、タッチ座標が表示領域内に有るか否か判別（S103）する。表示領域外２３をタッチしたと判断した場合は、検出エラー表示処理としてエラーを表示（S112）し、検出した座標情報を消去してタッチ待機状態となる。
【００２０】
次に表示領域内をタッチした場合は、どの表示処理装置の表示領域かを判別（S104）する。例えば図４では、タッチ入力位置１９の座標（1480,900）が第２の表示領域３４（1280,540）〜（1920,1080）内にあるので第２の表示領域３４内にあると判断する。そして、タッチ入力位置１９の座標（1480,800）を座標変換部１４において第２の映像処理装置の表示領域３４に対応するように座標を変換（S113）する。変換式は以下のようになる。
【００２１】
元の解像度（Ｘ１、Ｙ１）、表示原点  （Ｘ２、Ｙ２）
表示解像度（Ｘ３、Ｙ３）、タッチ位置（Ｘ、Ｙ）
変換後位置（（Ｘ−Ｘ２）×Ｘ１/Ｘ３、（Ｙ−Ｙ２）×Ｙ１/Ｙ３、）
例えば、図４に示す座標情報のとき、以下のように当てはまる。
【００２２】
元の解像度（1920、1080）、表示原点（1280、720）
表示解像度（640、360）、タッチ位置（1480、900）
この座標より、変換後位置（600,540）が導かれる。変換された座標データは、送信部１６より送信（S114）される。映像処理装置内の受信部３１は座標情報を受信（S115）する。次に、その座標情報を制御部３２にて認識（S116）し、その座標情報に応じて映像出力部３３のタッチ操作によるドラッグやクリック、拡大縮小などの動作を制御（S117）する。
【００２３】
また第１の領域がタッチされた場合には、上記の第２の映像処理装置３０の処理と同様に第１の映像処理装置２０の処理を行う。第１の映像処理装置の表示領域２４の座標を検出した場合、座標変換部１４が第１の映像処理装置の表示領域２４に対応するように座標を変換（S105）する。変換式は、（S113）と同様である。変換された座標データは、送信部１６より送信（S106）される。映像処理装置内の受信部２１はその座標情報を受信（S107）する。次に、その座標情報を制御部２２にて認識（S108）し、その座標情報に応じて映像出力部２３のタッチ操作によるドラッグやクリック、拡大縮小などの動作を制御（S108）する。
【００２４】
それらの制御した映像出力の信号を映像表示装置内の映像処理部１７に送信し、映像表示部１８で表示（S110））する。この一連の流れは映像処理装置の電源をオフ（電源オフ判断（S111））にするまでループしつづけ、オフ時に終了する。
【００２５】
以上に説明した情報処理装置より、複数の映像出力を１つの映像表示装置に表示して、表示領域の拡大・縮小もしくは位置の変更などを行い、タッチパネルで操作する場合でも正確にタッチした座標の取得を行うことができ、また表示領域の位置や大きさを変更しても追従して座標変換を行うことが可能になる。
【００２６】
［実施例２］
以下、本発明に係る第２の実施形態について説明する。図５は第２の実施形態における処理フロー図、図６は第２の実施形態における表示映像の例を示す。この実施例２は、実施例１と同等のブロック図で構成されているが、映像の表示領域を拡大・縮小して配置し、表示領域を重ねて配置した場合である。
【００２７】
以下、図５に示す処理フロー図を用いて、動作について詳細に説明する。例えば図６のように、第１の表示領域２４が最前面で縮小して配置され、第２の表示領域３４が第１の表示領域よりも背面で、その表示領域が拡大されてタッチパネル１１の座標検出領域と同じサイズで配置されているとする。
【００２８】
まず、タッチ座標が第１の表示領域２４、すなわち最前面の画面かどうかを判断（S201）する。
【００２９】
この判別で第１の表示領域（最前面の表示領域）２４と判断された場合、（S105）〜（S111）まで実施例１と同様の処理を行う。また第２の表示領域（背面の表示領域）３４と判断された場合、その表示領域はタッチパネル１１の座標検出領域と同じサイズなので、タッチ座標を変換せずにその座標情報を送信（S202）する。（S202）以降の処理は、（S115）〜（S111）の実施例１と同様の処理を行う。
【００３０】
以上に説明した情報処理装置より、PinP表示時においてもタッチ座標を正しく検出でき、PinPの表示領域が拡大・縮小もしくは位置の変更などを行った場合にも追従して座標変換を行うことが可能になる。
【符号の説明】
【００３１】
１０  映像表示装置、１１  タッチパネル、１２  入力座標検出部、１３  制御部、
１４  座標変換部、１５  第１の送信部、１６  第２の送信部、１７  映像処理部、
１８  映像表示部、１９  タッチ指示位置、２０  第１の映像表示装置、
２１  第１の受信部、２２  第１の制御部、２３  第１の映像出力部、
２４  第１の表示領域、３０  第２の映像処理装置、３１  第２の受信部、
３２  第２の制御部、３３  第２の映像出力部、３４  第２の表示領域、
４１  第１の表示装置、４２  第２の表示装置、４３  入力装置、４４  制御装置、
４５  処理装置
【図１】
2016207099.tif 000003
【図２】
2016207099.tif 000004
【図３】
2016207099.tif 000005
【図４】
2016207099.tif 000006
【図５】
2016207099.tif 000007
【図６】
2016207099.tif 000008
【図７】
2016207099.tif 000009